(57)【特許請求の範囲】
【請求項１】
二つの主要部分（１０，２０）、すなわち二つの側方パネルが前方パネル及び後方パネルで連結されたシェル（１０）と、光電式表示装置を受容する形状の剛性構造体（２０）とからなるヘルメットにおいて、前記構造体（２０）を一組のアタッチメント（１０１，１０２，１０３）を用いてシェル（１０）に取り付けたりシェル（１０）から取り外したりすることができ、各アタッチメントはスタッド形の連結部（２１，２２，２３）と軸方向を有する円筒形の連結部（１１，１２，１３）とを含み、これらの連結部の一方がシェル（１０）に装着されると共に他方が構造体（２０）に装着されており、構造体（２０）の上に取り付けられた二つのアタッチメント（１０１，１０２）の各々における少なくとも一つの連結部はこの構造体（２０）に関して可動な可動連結部であり、開位置及び閉位置に移動することができ、その結果、開位置では二つの可動連結部（２１，２２）によって構造体をシェルの上に置くことができ、閉位置ではこれらの可動連結部（２１，２２）はシェル（１０）上の対応する連結部（１１，１２）を介してシェル（１０）との連結を確実にし、更に、構造体（２０）はこれらの可動連結部（２１，２２）をその開位置及び閉位置に保持する手段を備えており、開位置から閉位置への変更は構造体の上に取り付けられた可動連結部（２１，２２）を含む部品（３１，５１）を手動で押すことによって行われ、この押力が実質的に前記の各円筒体（１１，１２）の軸方向に沿って二つのアタッチメント（１０１，１０２）の各々の上の各可動連結部（２１，２２）に加えられることを特徴とする、ヘルメット。
【請求項２】
前記連結部をその開位置に保持する前記手段が、前記スタッド（２１，２２）を前記円筒体（１１，１２）から引き出すように力を加える弾性装置（３４，５４）を含むことを特徴とする請求項１に記載のヘルメット。
【請求項３】
前記可動連結部（２１，２２）が、シェル（１０）の側方パネルの上に取り付けられた連結部（１１，１２）と対応する部分を具備することを特徴とする請求項１に記載のヘルメット。
【請求項４】
前記可動連結部（２１，２２）の少なくとも一つが、前記構造体の上に取り付けられた固定軸の周りに旋回することのできるアーム（３１）の上に取り付けられているために移動することができることを特徴とする請求項２に記載のヘルメット。
【請求項５】
前記可動連結部（２１，２２）の少なくとも一つが、構造体に関して内部及び外部へ動くことのできる押しボタン（５１）上に取り付けられているために移動することができることを特徴とする請求項２に記載のヘルメット。
【請求項６】
前記のアーム（３１）が二つの支え面（３８，４５）と一つの停止具（４６）とを有しており、前記弾性装置（３４）がアーム（３１）と滑動体（３３）との間に連結され、この滑動体（３３）は、前記円筒体の軸方向とアーム（３１）の回転軸（３２）との両方に割線をなす方向に移動することができ、その結果、アームの開位置ではその第１の支え面（４５）とその停止具（４６）とが滑動体（３３）と接触し、アームの閉位置ではその第２の支え面（４５）が滑動体（３３）と接触し、停止具（４６）を越えるアーム（３１）への手動による圧力と弾性装置（３４）によって滑動体（３３）に加えられる力との合成作用によって第１の位置と第２の位置との間の滑動体（３３）の移動が達成されることを特徴とする請求項４に記載のヘルメット。
【請求項７】
前記押しボタン（５１）が、軸の周りに回転する第１のピニオン（５６）とかみ合うラック（５２）を具備し、前記弾性装置（５４）はこのピニオン（５６）と前記構造体（２０）に対して固定された点との間に連結され、弾性装置（５４）のピニオン（５６）上における取付け点は、押しボタンが押し下げられた（閉じた）位置では、ピニオン（５６）に移行される力がピニオン（５６）を回転させようとする偶力を働かせ、これによって押しボタンを押し下げた状態に保つような方向にラック（５２）を押し、押しボタンが引き出される（開く）と、前記弾性装置（５４）によって加えられる力がこれを引き出した状態に保とうとすることを特徴とする請求項５に記載のヘルメット。
【請求項８】
前記第１ピニオン（５６）によって駆動される第２のピニオンによって、ラック（５７）を取り付けた滑動体（５３）が前記円筒体の軸方向とは異なる方向に移行し、この滑動体（５３）は前記押しボタン（５１）が押し下げられた（閉じた）位置にあるときには突き出た位置にあり、このため押しボタン（５１）を滑動体（５３）を手動で押すことによって強制的に外側へその開位置に押しやることができることを特徴とする請求項７に記載のヘルメット。
【請求項９】
前記構造体（２０）と前記シェル（１０）とが、前記構造体（２０）をそのシェル（１０）上のロック位置に案内する目的の案内部品（３５，４７，２７，１４，１５，１６）を備え、これらの案内部品は、前記構造体及び前記シェルを含む前記主要部分（１０，２０）の一つの上の突出部（１４，１５，１６）によって構成され、他の主要部分（１０，２０）の中に作られた各スロット（４７，２７）は、構造体（２０）がシェル（１０）の前方からシェル（１０）の後方へ動かされると突出部がスロットの最も広い部分に存在するように先細の幅となっていることを特徴とする請求項１に記載のヘルメット。
【請求項１０】
前記構造体に連結された前記連結部が、前記シェルの側方に取り付けられた連結部（１１，２２）にかみ合うように設計された二つの可動部品（２１，２２）と構造体内の空洞（２７）から突き出た一つの静止部品（２３）とを具備することを特徴とする請求項１に記載のヘルメット。
【請求項１１】
前記連結部が、前記シェル上に取り付けられた三つの連結部（１１，１２，１３）にかみ合うように設計された三つの可動部品（２１，２２，２３）を具備し、三つの連結部のうちの二つ（１１，１２）は前記シェルの側面に一つ（１３）はその前面にあることを特徴とする請求項１に記載のヘルメット。
【請求項１２】
前記可動連結部（２１，２２）の少なくとも一つは、前記構造体（２０）上に取り付けられた固定軸（３２）の周りを旋回することのできるアーム（３１）上に取り付けられているために移動することができることを特徴とする請求項１０に記載のヘルメット。
【請求項１３】
前記可動連結部の少なくとも一つは、構造体（２０）に関して内部及び外部へ動くことのできる押しボタン（５１）の上に取り付けられているために移動することができることを特徴とする、請求項１０に記載のヘルメット。
【請求項１４】
シェル（１０）の前面に取り付けられた前記連結部（１３）にかみ合うように設計された構造体（２０）の前記の可動連結部（２３）が、二つの位置、すなわち可動連結部（２３）がシェルの前面の連結部（１３）とかみ合う閉位置と開いたすなわち離脱した位置をとることができ、開位置と閉位置との間の変更が制御レバー（７６）を手動で動かすことによって達成されることを特徴とする請求項１１に記載のヘルメット。
【請求項１５】
いったん前記シェル（１０）上に取り付けられた前記構造体（２０）を二つの横アタッチメント（２１，２２）の周りに回転させることができ、この構造体が二つの安定位置、すなわち可動連結部（２３）がシェルの前面の連結部（１３）とかみ合う下部位置と構造体（２０）上に取り付けられた留め具（７８）がシェル（１０）の上に取り付けられたコネクタ（１９）とかみ合う上部位置とをとることができることを特徴とする請求項１４に記載のヘルメット。
【請求項１６】
前記留め具（７８）が、二つの位置、すなわち留め具（７８）がシェル（１０）の上に取り付けられた前記コネクター（１９）とかみ合う第１の位置と留め具（７８）がこのコネクター（１９）から離脱した第２の位置とをとることができ、第１の位置及び第２の位置間の変更は構造体（２０）上に取り付けられた可動連結部（２３）をその上部位置と下部位置との間で移動させるために使用されるのと同じ制御レバー（７６）を手で動かすことによって達成されることを特徴とする請求項１５に記載のヘルメット。
【発明の詳細な説明】
【０００１】
【発明の属する技術分野】
本発明は、軍用機のパイロットが使用するヘルメット等の光学式表示装置を備えたヘルメットに関する。
【０００２】
【従来の技術】
このようなヘルメットは貫通を防止するシェルを含む。このシェルは、パイロットの頭部を衝撃から保護するための材料でその内部が裏張りされており、又、表示装置も含む。このような表示装置の目的は、パイロットに情報を記号の形で与えることである。この情報は外部の風景の上に視覚的に重ね合わせられる。情報がマスクされているか又はまだ風景中で視野に入っていない物体を表すときは、この物体は地上ベースの基準フレームに対して真の方向に表示しなければならない。この理由で、又、映像の鮮明さの理由から、表示装置の種々の部品は互いにかつパイロットの目に対して固定した位置をもつ必要がある。
【０００３】
既知のヘルメットでは、表示装置は記号映像投影手段を具備する。この投影は、反射された映像をパイロットの目の方へ戻すコンバイナで実施される。この投影・反射装置は見やすいように平行光映像を提供する。コンバイナは部分的に鏡面となった表面であり、外部風景からの光線を透過し、投影手段からの光を（少なくとも部分的に）反射する。一般に、コンバイナはヘルメットに取り付けられた保護バイザの部分によって構成される。
【０００４】
光電式表示装置のパイロットの目に対する位置決めは、ライナ調整を含む個人合わせの段階で実施され、ヘルメットの今後の着用者はこうして確実に快適な位置に記号映像を見ることになる。
【０００５】
光電式表示装置を取り付けたヘルメットのシェルは、これに作用する力によって変形する可能性があることは知られている。又、ヘルメットに取り付けた固定用システムに装着することのできる可動構造体上に光電式表示装置を取り付けるケースも知られている。このような配置の一つが１９７９年５月２９日付けの米国特許第４１５６２９２号に記載されている。
【０００６】
【発明が解決しようとする課題】
本発明は、光電式表示装置を支える可動構造体を受容することのできるヘルメットに関するものである。更に本発明は、ヘルメットの着用者が種々の装置を取り付けた様々な構造体を自分自身で取付け取外しできるようにする。こうして、パイロットの頭部の形状に適合した所与の保護ヘルメットは、
日中に使用するための表示装置、
夜間に使用するための表示装置、
暗視双眼鏡、
保護遮へいバイザ
等の任務の要件に従って選ばれた各種の装置を備えることができる。
【０００７】
本発明によって、搭乗員（操縦士、航空士、偵察員、銃手）は任務の展開や外部条件に従ってヘルメットの装置を変更することができる。この変更は迅速であり、道具を必要としない。
【０００８】
【課題を解決するための手段】
これらの目的のために、本発明は、二つの主要部分、すなわち二つの側方パネルが前方パネルと後方パネルとで連結されたシェル並びに光電式表示装置を受容する形状の剛性構造体からなるヘルメットにおいて、前記の構造体を一組のアタッチメントを用いてシェルに取り付けたりシェルから取り外したりすることができ、各アタッチメントはスタッド形の連結部と円筒形の連結部を含み、これらの連結部の一つはシェルに装着され、もう一つの連結部は構造体に装着され、各円筒体は軸方向を有し、構造体の上に取り付けられたアタッチメントのうちの二つの各々における少なくとも一つの連結部はこの構造体に関して可動であり、開位置及び閉位置に移動することができ、その結果、開位置では二つの可動連結部によって構造体をシェルの上に置くことができ、閉位置ではこれらの可動連結部はシェル上の該当する連結部を介してシェルとの連結を確実にし、更に、構造体はこれらの可動連結部をその開位置及び閉位置に保持する手段を備えており、開位置から閉位置への変更は、構造体の上に取り付けられた可動連結部を含む部品を手動で押すことによって行われ、この押力が、実質的に前記各円筒体の軸方向に沿って二つのアタッチメントの各々の上の各部品に加えられることを特徴とするヘルメットを対象とする。
【０００９】
本発明により、コックピットの中に座ったヘルメット着用者は、光電式装置を装着した剛性構造体を取り上げ、これを自分のヘルメットの上に置き、その後、構造体の各側にあるアタッチメント機構を夫々の手で閉じることができ、その位置でこれらの機構はシェルに固定された部品とかみ合い、構造体をシェルの上にロックする。そうすると、これらのアタッチメント機構の中の部品がアタッチメント機構を閉じた状態に保つ。同様にして、剛性構造体をヘルメットから取り外すには、着用者はアタッチメント機構を手で外して連結部を開く。ある実施例では、連結部はばね式システムによって確実に開かれる。閉位置で連結部をロックすると剛性構造体がヘルメットに確実に固く取り付けられる。開位置で連結部をロックすると構造体に取り付けられた連結部の位置に悩む必要なく、構造体を取り付けたり取り外したりできるようになる。
【００１０】
好ましい実施例では、各アタッチメント機構は、構造体に対するヘルメット・シェルの局部的方向Ｄに沿った局部的変位をもたらす。この局部的方向は局部円筒体の軸である。
【００１１】
円筒体内でスタッドが滑動すると、全体が一定の相対位置を保ったままでシェルと光電式装置を支える構造体との間の相対的移動度をもたらす。局部的に移動する連結部の目的は、ヘルメット・シェルの機能とシェルに連結され光学式装置を支える剛性構造体の機能とを完全に切り離すことである。このようにして、シェルはパイロットを確実に保護するというその主要機能を引き受け、従ってより軽量にすることができる。更に、光電式装置を支える機械的構造体は、もはやシェルの変形に伴う変形応力に耐えるように設計する必要がなくなり、従ってより軽量にすることができる。パイロットにとっては保護が強化され、（軽量になるために）快適さが増し、ヘルメットの着脱がずっと容易になる。
【００１２】
連結部は、シェル及び取り付けられた構造体の正常な動きが可能なように配置することが好ましい。従って好ましい一実施例では、本発明は、シェルの各側方パネル上にスタッド・円筒体連結部を含み、又、第３のスタッド・円筒体連結部を含み、この軸はシェルの対称面内に位置し、シェル・構造体組立体に横方向の安定性をもたらす。この第３のコネクタはシェルの前上部に位置することが好ましい。
【００１３】
シェルの対称面は（頭に被ったとき）着用者の身体の垂直対称面である。この面はアタッチメント手段の位置のための基準フレームを提供するとだけ述べられている。
【００１４】
シェル及び構造体は、構造体をそのシェル上における最終ロック位置に案内するように設計された複数の部品を具備していることが好都合であり、この最終ロック位置は例えば、構造体がシェルの前部から後部に動いたとき、円錐体が滑動して漏斗又は何か他の停止部品の端部と接触するように、別の部品上に取り付けた雄の円錐形部品と嵌合する、前記複数の部品の一つの上に取り付けられた雌の漏斗状部品である。
【００１５】
これから、本発明によるヘルメットの一実施例を添付の図面を参照して説明する。
【００１６】
【発明の実施の形態】
図１は、ヘルメット・シェル１０と光電式装置を担持する構造体２０との間の３個のアタッチメント１０１、１０２、１０３の断面図を示す。この図の目的はシェル１０と構造体２０との間の均衡取付け原理を示すことなので、これらのアタッチメントは実際より大きく示されている。好ましい実施例では、アタッチメントは、図１ではシェル１０に取り付けた状態で示す３個の円筒体１１、１２、１３と、図１では構造体２０に取り付けた状態で示す３個のスタッド２１、２２、２３からなる。図１に示す断面はこれら３個のアタッチメントを横切る平面内にある。この取付け方法によって、構造体２０に大きな応力をかけることなくシェル１０が変形することができる。例えばパイロットの頭部にヘルメットを着用している間にシェル１０が変形するとスタッド２１、２２、２３に沿って円筒体１１、１２、１３が局部的に移動することになり、この局部的移動は各円筒体の軸の方向に沿ったものである。好ましい実施例では、円筒体１１、１２はシェル１０の側方突起部１４、１５に作られた中ぐり孔である。第３の円筒体１３は、シェル１０の対称面に位置する突起部１６をくり抜いている。突起部１６はシェル１０の対称面に対して対称に位置している。
【００１７】
図２はヘルメット・シェル１０の側面図であり、突起部１５、１６、中ぐり孔１２、１３及び停止部を示している。この停止部の目的については後で述べる。
【００１８】
ヘルメット上でシェルの各側に１個ずつある２個のアタッチメント組立体のまわりに剛性構造体を回転させることができる、後述の実施例では、突起部１６は、図３の正面図に示すようにシェルの対称面の中に置かれた縦溝１７を含むことが好ましい。この溝はスタッド２３の垂直回転を案内する。同様に、この実施例における突起部は、突起部の中に切られ溝１７に平行なＶ形溝１８を含む。この溝は留め具の回転を案内するもので、この留め具を使用してこれを孔１９に挿入することによって構造体を上部位置で保持する。
【００１９】
図４は、図２のヘルメット・シェルの上に取り付けるように作られた構造体２０の一実施例の分解斜視図である。構造体２０は、２個の横アーム２５、２６を有する中央部分２４を含む。アタッチメント・スタッド２１、２２、２３は次のように取り付けられている。すなわち、スタッド２３はシェル１０の中央突起部１６を受けるように設計された形状を有する凹状矩形空洞２７の中にねじ込まれ、側スタッド２１、２２は数個の部品を具備する取外し可能なアタッチメント機構３０の一部を形成する。
【００２０】
各アタッチメント機構３０は、横アーム２５、２６の一端２８、２９の上に取り付けられている。構造体２０は、ヘルメット着用者の対称面について実質的に対称形を呈する。各アタッチメント機構３０は、軸３２のまわりで旋回するアーム３１を含む。各関節式アーム３１はスタッド２１、２２を支える。機構３０は滑動体３３及びばね３４（図４では図示せず）も含む。機構３０は、それ自体がアーム２５、２６の端部２８、２９に固定されたプレート３５の上に取り付けられている。図４に示すように整合された孔によってプレート３５を端部２８、２９に固定する手段の他に、各プレート３５は滑動体３３をのせることができる滑動レール３６とアーム３１のための旋回軸となるピン３２を受け入れる中ぐり孔３７（図５参照）とを含む。
【００２１】
アタッチメント機構３０の詳細な断面図を図５及び図６に示す。この断面はピン３２に直角の平面で切ったもので、実際にはアーム３１、滑動体３３及び滑動レール３６の対称面にある。図５は、開位置にあるアタッチメント機構を示すもので、構造体２０はそのヘルメット上の取付け位置に近付いている。図６は、閉位置にある同じアタッチメント機構を示すもので、スタッド２２はシェル１０の円筒体１２の中にはめられている。
【００２２】
この機構の操作は次の通りである。すなわちスタッド２２は、後述の案内手段によって案内された後に円筒体１２の反対側に到達する。使用者が関節式アーム３１を手で押すとこの関節式アームはその軸３２のまわりで旋回し、スタッド２２を円筒体１２の中に挿入する。ばね３４がアーム３１と滑動体３３との間に緊張状態で連結され、滑動体３３を矢印４０の方向に引っ張る。ばね３４の作用によって、アーム３１の部分３８が閉位置にあるときに滑動体３３の上部分４８はアーム３１の部分３８とかみ合う。関節式アーム３１上の小さな面取り部３９と前記上部分４８の上の別の面取り部４１とが滑動体３３によるアーム３１のこの取付けを容易にする。スタッド２２が嵌合位置にあるときには、面取り部３９、４１は互いに接触している。機構を再び開くためには、使用者は滑動体３３を図５の矢印４０と反対の方向に押す。アーム３１の前部４４と出会う滑動体３３の先端におけるばね３４と傾斜面４３との結合作用によって、アームは外側に旋回し、従ってスタッド２２を円筒体１２から引き出す。アーム３１の動きは、アームの部分４５が滑動体３３の上部分４８の面取り部４１に出会うということによって制限される。機構は、上部分４８の前縁（すなわち矢印４０の方向における前縁）が滑動方向と完全には直角でないため、その開位置でロックされ、ばねの作用でこの部分はアーム３１の中のＶ形凹部４２と嵌合する。図５又は図６に示す実施例では、滑動体３３のこの上部分４８が開位置と嵌合位置の両方においてアーム３１を確実にロックすることに留意されたい。この構成では、（上部分４８と接触する）アームの上表面４５とこの上表面４５に９０度よりわずかに大きな角度を作る平面４６とによって形成されるこの開いたＶ形４２は、この同じアームの面取りされた表面３９より低く、軸３２により近く位置している。平面４６が、アーム３１のピボット・ピン３２である軸と表面４６の近くを通過する周辺とを有する仮想の円筒形の接線に対して小さな角度をなしているので、アーム３１に作用する力はこの表面４６によって加えられるてこの効果によって増加し、この表面４６は滑動体３３を押し戻そうとし、この滑動体３３はアーム３１の閉鎖を容易にする。
【００２３】
要約すると、着用者は、アーム３１を押すことによって簡単にアタッチメント機構３０を閉じ、滑動体３３を押し戻すことによって機構をシェルから解放する（アーム３１は開位置の方に移動する）。
【００２４】
着用者が自分のヘルメットに構造体を取り付ける助けとなるように構造体は、アタッチメント機構３０が取り付けられているプレート３５の中に切られた閉端スロット４７（図３を参照）によってその最終位置に向かって案内される。これらのスロットは、構造体２０が正しい位置にあるときにはシェル上の突起部１４、１５（図２）の頂部と背部とに接触している。
【００２５】
シェル上における構造体の取付けと取外しは次のように行われる。すなわち着用者は表示装置（図示せず）を備えた構造体２０を両手で取り上げ、２個のアタッチメント・スタッド２１、２２を支えるアーム３１が滑動体３３の上を押すことによって開位置になることを確かめる。それから構造体２０を（眼鏡をかけるときと同じ方法で）頭の前部の方に上げる。シェルの突起部１４、１５を構造体２０上のプレート３５にあるスロット４７の中にはめ込むことによって、構造体２０がシェル１０の上に事前に案内される。スタッド２１、２２の正確な位置決めは、まずシェルの正面突起部１６を構造体２０にある凹状矩形空洞にはめ込むことによって、次にスロット４７の端部と出会う側方突起部１４、１５によって確実に行われる。この姿勢で、前方スタッド２３は当然前方突起部１６の円筒体１３と嵌合する。それから着用者は、関節式アーム３１を押すことによって側方スタッド２１、２２を円筒体１１、１２の中にはめ込む。それから構造体２０はバランス良くヘルメット・シェルに装着される。
【００２６】
構造体２０の取外しも自然な方法で達成される。すなわち、着用者は両手で自分のヘルメットの上に構造体を保持し、親指で滑動体３３を押して、ばね３４の作用の下でアタッチメント機構３０を解放し、構造体２０が前方に上げられて離れるようにする。
【００２７】
次に、アタッチメント機構５０の第二の実施例を図７及び図８を参照して説明する。この機構は、全ての構成部品が取り付けられ、かつ剛性構造体２０の端部２８、２９に機構を取り付けるために使用される本体５５を含む。スタッド２１は押ボタン５１の端部に置かれている。図７では、スタッド２１はヘルメット・シェル上のスタッド嵌合位置にあり、図８ではそれが外されている。この押しボタンはピニオン５６を駆動するラック５２を含む。ばね５４は、本体５５に取り付けられた一端とピニオンの自由面に取り付けられた他端とを有する。機構のこの第１の部分は次にように作動する。すなわち、スタッド２１がシェルの円筒体１１と嵌合するように押しボタン５１を完全に押すと、ピニオン５６に接続されたばね５４の端部は、ばね５４がピニオン５６に偶力を働かせるような位置に来る。この偶力はピニオン５６を、それがラック５２に力を加える方向に回転させ、スタッド２１を円筒体１１の中に押し込む結果となる。押しボタンを引っ張ってスタッド２１を円筒体１１から引き出すとばねの同じ端部はピニオン５６に偶力を加えて、ピニオン５６をそれがラック５２に力を加える方向に回転させ、スタッド２１を円筒体１１から引き出す結果となる。ピニオン５６の中心に直角でこの中心を通過しかつ押しボタン５１の移動方向に平行な平面Ｐ１を考えると、ばねの力が加わる点は、押しボタンが完全に押されたときにはこの平面の片側にあり、完全に引いたときには他の側にあるはずである。ピニオン５６の中心に直角でこの中心を通過しかつ押しボタン５１の移動方向Ｄに直角の平面Ｐ２を考えると、ピニオンのばねを取り付ける点は、スタッド２１がはめ込まれているか又は外されているかに応じて平面Ｐ２内又はその近くで平面Ｐ１の一方又は他方の側にあることが好ましい。この点で取り付けられると、ばねは嵌合位置及び離脱位置で最大の偶力をピニオンに加える。
【００２８】
この実施例では、前記実施例（機構３０）におけるものと同じ容易さを維持するために、この場合にも滑動体が設けられている。この滑動体５３は、スタッド２１の移動方向Ｄに直角の方向に動く。これはピニオン５６を駆動するラック５７とかみ合っている。この実施例の一変形例では、これはピニオン５６と同じスピンドルの上を又は異なるスピンドルの上でも回転する個別のピニオンであって、はめば歯車システムを介してピニオン５６を駆動することができる。
【００２９】
図７及び図８は、機構５０を押しボタン５１の移動方向と平行な平面及び滑動体５３の移動方向と平行な平面で示す。図７では、押しボタン５１に取り付けられたスタッド２１は嵌合位置にあり、滑動体５３はその外側位置にあり、図８ではスタッド２１は離脱位置にあり、滑動体５３はその内側位置にある。構造体２０のアーム２８、２９に本体５５を固定する方法はこれらの図には示されていない。
【００３０】
このアタッチメント機構の操作は次の通りである。すなわち、押しボタン５１を押すと滑動体５３はその外側（突き出た）位置に移動する。押しボタン５１を引き出してスタッド２１を離脱させるには、着用者はこの滑動体５３を押す。この移動中にラック５７はピニオン５６を回転させ、ピニオン５６はラック５２に作用して押しボタンを外側に移動させる。
【００３１】
従って、使用者から見ると、アタッチメント機構３０及び５０は同じ方法で使用される。すなわちスタッド２１をはめ込むには夫々アーム３１又は押しボタン５１を押し、スタッドを離脱させるには滑動体３３又は滑動体５３を押す。
【００３２】
ここで、前方スタッド２３を円筒体１３内にはめ込む別の手段を説明する。
【００３３】
図４を参照して説明した前方で固定する手段は、剛性構造体２０の空洞２７の前方に固定されたスタッド２３からなる。こうして、このスタッドは固定中に構造体２０とシェル１０との間の最初の接触を確実にする。すなわちこれによって、着用者が構造体２０を瞬時に解放して自分の両手を各側のアタッチメント機構へと動かすことが可能になる。ここで説明する機構はこれと同じ機能を提供し、又剛性構造体２０を上部位置と下部位置との二つの異なった位置に着用できるようにする。構造体２０がシェル１０の上に取り付けられると、これらの位置の一つから他への変更は側方スタッド２１、２２と円筒体１１、１２とによって構成される軸のまわりの構造体の回転によって達成される。
【００３４】
下部位置においては、スタッド２３は突起部１６内の前方円筒体１３の中にはめ込まれている。上部位置においては、スタッド２３は円筒体１３から離脱しており、この位置では、構造体は前方突起部１６における孔にかみ合う留め具によって移動不能になる。
【００３５】
ここで、図９から図１２までを参照して、構造体の側方スタッド２１、２２のまわりの回転を可能にし、同時にこれを上部位置又は下部位置に固定させる機構の一例を説明する。
【００３６】
図９は、構造体２０の上に固定され、構造体の側方スタッド２１、２２のまわりの回転を可能する機構７０の概略図である。この図は、シェルの突起部１６の一部及び上部位置と下部位置との二つの位置における機構７０を示す。この回転は制御レバーを用いてスタッド２３と留め具７８とを引っ込めることによって可能になる。
【００３７】
中央スタッド２３を引っ込めるために使用される機構７０は、剛性構造体２０に固定された本体７７の上に固定されたスピンドル７１のまわりで旋回する制御レバー７６によって構成される。本体７７の上に固定されたスピンドル７２のまわりで旋回する留め具７８は、突起部１６内の孔１９にはめ込まれて構造体２０をその上部位置に維持することができる。スタッド２３と留め具７８とは二つの安定した位置を有する。すなわち、レバー７６の上に圧力がかけられない場合には、スタッド２３及び留め具７８の両方はばねの圧力によって外側に突出する。スタッド２３が突起部１６内の円筒体１３とかみ合う上部位置、又は留め具７８が突起部１６内の孔１９とかみ合う下部位置のいずれかで、構造体を移動不能にすることができる。レバー７６が押された場合には、スタッド２３と留め具７８とは両方共シェル１０から引き離されて構造体２０を側方スタッド１１、１２のまわりに回転させることができる。
【００３８】
図１０は機構７０だけの側面図である。スタッド２３及び留め具７８は、レバー７６が作用を受けないときのそれらの位置にある。この図は又、レバー７６の移動方向を示す矢印６１、６２、６３、スタッド２３及び留め具７８を示す。レバー７６の移動は、フィンガ７３の移動による軸７２のまわりの留め具の回転を引き起こす。スタッド２３の移動は、本体７７の中を滑動するピン７４に対するレバー７６の作用によるもので、又、（図１１と図１２に示す）フィンガ７５の作用を通じて行われる。留め具７８及びピン７４を本体７７に接続するばねは、レバー７６上の圧力が解放されたときに機構が図１０に示す構成に確実に戻るようにする。本体に取り付けられたレバーの作用下で可動部品を僅かに移行又は回転させるための多くの方法がある。レバーの回転によってピニオン又は歯形部分を介して部品を移動させるようにレバーに歯形を取り付けることができる。図１１及び図１２を参照して説明する実施例は多くの中の一例にすぎない。これは部品の計量と寸法とを考慮した折衷案である。
【００３９】
図１１は、留め具７８に対するレバー７６の作用を示すためのものであり、図１２は、スタッド２３を支えるピン７４に対するレバー７６の作用を示す。図１１は、レバー７６のスピンドル７１の平行な平面に沿って切った本体７７を見える機構７０の正面図であり、これは留め具７８に対するレバー７６の作用を示す。レバー７６は、レバーがそのスピンドル７１のまわりに回転されるときに移動する傾斜部８１を含む。この傾斜部は、留め具７８に取り付けられたフィンガ７３の端部を押す。これによって留め具はその軸７２のまわりに回転する。フィンガ７３が移動できるようにするために本体７７は一つの長いスロットを含み、スロットの端部はレバーがその静止位置にあるとき又は留め具７８が引き出されたときに停止具として使用される。レバー７６の回転は又、ピン７４を横切るフィンガ７５の正面に対して動かす。
【００４０】
図１２は、レバー７６の軸７１に直角でピン７４の軸を通過する平面で切った機構７０の断面を示す。スタッド２３は、シェル１０の突起部１６中の円筒体１３内にはめ込まれた状態で示されている。スピンドル７１のまわりのレバー７６の回転はフィンガ７５を介してピン７４を動かすことになる。レバーが解放されると、本体７７及びピン７４上のショルダーを押すばね８０はスタッド２３をその静止（突出した）位置に押す。同様に、留め具７８もばね７９によってその静止位置に戻る。
【図面の簡単な説明】
【図１】ヘルメット・シェル及び構造体間の三カ所の取付け点を切る平面で切った、本発明によるヘルメットの概略断面図である。
【図２】シェルの連結部品及び案内部品の実施例を示すヘルメットの側面図である。
【図３】シェル上の突起部の実施例を示す正面図である。
【図４】剛性構造体をヘルメット・シェルに固定するために使用されるところの動く連結部品を具備する前記の剛性構造体の第一の実施例の分解斜視図である。
【図５】構造体に固定されると共に軸のまわりで回転することのできる連結部品を具備する、アタッチメント機構の第一の実施例の断面図である。この断面は前記連結部品の回転軸に直角であると共にその対称面内にあり、かつ部品はその開位置で示されると共にヘルメット・シェル上の対応する連結部品に近付いている。
【図６】閉位置においてヘルメット・シェル上の対応する連結部品と嵌合している連結部品を示す、図５と同じ断面図である。
【図７】シェルに対して内側及び外側に移動することのできる押しボタンを具備する、アタッチメント機構の第二の実施例の図である。
【図８】図７に示す機構の断面図である。
【図９】剛性構造体の上に取り付けられて上部位置及び下部位置間で構造体がシェルに対して回転できる装置における上部位置及び下部位置の概略図である。
【図１０】制御レバーの移動方向と２個の固定部品を示す前記と同じ装置の図である。
【図１１】固定部品の一つを引き出す機構を示す前記と同じ装置の開放斜視図である。
【図１２】構造体を下部位置で保持する固定部品の他の一つを引き出す機構を示す前記と同じ装置の縦断面図である。
【符号の説明】
１０  ヘルメット・シェル
１１，１２  側方円筒体
１３  前方円筒体
１４，１５  側方突起部
１６  中央突起部
１７  縦溝
１８  Ｖ形溝
１９  孔
２０  構造体
２１，２２  側方スタッド
２３  中央スタッド
２５  横アーム
２６  横アーム
２７  凹状矩形空洞
２８，２９  横アームの端部
３０  アタッチメント機構
３１  アーム
３２  軸
３３  滑動体
３４  ばね
３５  プレート
３６  滑動レール
４７  スロット
５０  アタッチメント機構
５１  押しボタン
５２，５７  ラック
５４  ばね
５５  本体
５６  ピニオン
【図１】
0003787183.tif 000002
【図２】
0003787183.tif 000003
【図３】
0003787183.tif 000004
【図４】
0003787183.tif 000005
【図５】
0003787183.tif 000006
【図６】
0003787183.tif 000007
【図７】
0003787183.tif 000008
【図８】
0003787183.tif 000009
【図９】
0003787183.tif 000010
【図１０】
0003787183.tif 000011
【図１１】
0003787183.tif 000012
【図１２】
0003787183.tif 000013